(57)【要約】【課題】防火区画を構成するような壁体に設けられる扉装置において、軽快な開閉操作を損なうことなく断熱性能の高い扉装置を構成する。【解決手段】開口部３ａを開閉する開閉用扉体５の表裏方向一方に、全閉姿勢の開閉用扉体５に積層して開閉用扉体５を覆蓋する全閉姿勢と、全閉姿勢の開閉用扉体５を外部に露出させる全開姿勢とのあいだをスライド移動自在な可動式の断熱扉体１０を設け、前記断熱扉体１０に、全閉姿勢に向けて付勢する付勢手段１３と、付勢手段１３の付勢力に抗して全開姿勢に保持する規制部材１４と、開口部近傍の温度が予め設定されている高温（例えば１００度）に達することに伴い、規制部材１４による全開姿勢保持を解除して断熱扉体１０を強制的に閉鎖せしめる強制閉鎖手段とを設ける構成とする。【選択図】図１
2012007323.tif 000002
【特許請求の範囲】
【請求項１】
空間を仕切る壁体に形成した開口部を開閉する開閉用扉体の表裏方向一方に、開口部を閉鎖する開閉用扉体に積層して開閉用扉体を覆蓋する全閉姿勢と、開口部を閉鎖する開閉用扉体を外部に露出させる全開姿勢とのあいだをスライド移動自在な可動式の断熱扉体を設け、前記断熱扉体に、全閉姿勢に向けて付勢する付勢手段と、付勢手段の付勢力に抗して全開姿勢に保持する全開保持手段と、開口部近傍の温度が予め設定されている高温に達することに伴い、全開保持手段による全開姿勢保持を解除して断熱扉体を強制的に閉鎖せしめる強制閉鎖手段とを設けたことを特徴とする可動式断熱扉体を備えた扉装置。
【請求項２】
強制閉鎖手段は、温度ヒューズを用いて構成されていることを特徴とする請求項１に記載の可動式断熱扉体を備えた扉装置。
【請求項３】
開閉用扉体と断熱扉体とは、トンネル内の本通路空間と避難通路空間とのあいだを仕切る壁体の開口部に設けられていることを特徴とする請求項１または２に記載の可動式断熱扉体を備えた扉装置。
【請求項４】
開閉用扉体は、扉体の反りを防止する反り防止手段が設けられていることを特徴とする請求項１乃至３の何れか１項に記載の可動式断熱扉体を備えた扉装置。
【請求項５】
断熱扉体は、開閉用扉体の戸袋として機能するように構成されていることを特徴とする請求項１乃至４の何れか１項に記載の可動式断熱扉体を備えた扉装置。
【発明の詳細な説明】
【技術分野】
【０００１】
本発明は、例えば地下駐車場やトンネル内等の空間を区画する壁体に複数設けられる可動式断熱扉体を備えた扉装置の技術分野に関するものである。
【背景技術】
【０００２】
一般に、面積の広い地下駐車場や全長の長いトンネル内等のように閉ざされた広い空間においては、空間を壁体により仕切って区画（防火区画）を形成し、該区画を閉ざされた空間から外部へ通じる避難通路とすることがある。例えば、交通機関が走行するトンネルである場合、車等が走行する本通路が形成される空間と、該本通路の側部に形成され、火災等の異常発生時等にトンネル外部に脱出するための避難通路が形成される空間とを壁体により仕切って区画を形成し、該壁体にトンネルの長さ方向に所定間隙を存して複数の開口部を形成し、これら開口部にそれぞれ避難用の扉装置を設けて、本通路側で発生した火災発生等の非常時に、最寄りの扉装置を介して避難通路側に避難できるようにしている。
このような扉装置としては、非常時に本通路側で発生した火煙や有毒ガスが避難通路側に流入しないようにすることが必要であり、避難時に扉体が開放操作された場合に自動的に全閉姿勢となる自閉式にすることが求められる。そこで、このような自閉式の扉装置としては、通常時では常時全閉姿勢となる扉体を、開放操作された場合では予め設定される時間のあいだ開放姿勢を維持し、その後、扉体が全閉姿勢となるように構成したものが提唱されている。
【先行技術文献】
【特許文献】
【０００３】
【特許文献１】特公平２−３８２３１号公報
【発明の概要】
【発明が解決しようとする課題】
【０００４】
ところで、このような区画に設けられる自閉式の扉装置としては、扉体に断熱材（耐火断熱ボード）を内蔵して耐火性能とともに断熱性能とを付与し、扉体が全閉姿勢となっている状態で避難通路側が延焼したり高温になることを防止するようにしている。しかるに、トンネル内に設けられる扉装置のように、扉体に風圧が作用するような箇所に設けられる扉体では、扉体に骨材を内蔵して剛性を持たせるようにしており、このため、断熱材を内蔵したとしても金属製の骨材が扉体の表裏面間のヒートブリッジとなって断熱性能が損なわれるという問題がある。このように断熱性能が損なわれると、扉体自体が高温となって扉体に反り（所謂熱反り）現象が生じることがあり、このようになると扉体と開口部とのあいだに隙間ができ、該隙間を介して避難通路側に火煙や有毒ガスが侵入することが想定されて問題がある。しかも、トンネル内に設けられる扉装置は、広い空間である本通路と狭い空間である避難通路とのあいだに設けられるため、広い空間である本通路側で発生した火災の熱は、扉体を介して狭い空間である避難通路側に大きな影響を及ぼすことになり、扉体にさらなる高い断熱性能が要求される。これらの問題や要求に対応するためには、扉体に内蔵する断熱材を多くしたり、断熱性能の高い断熱材を用いる等して、扉体自体の断熱性能を高めることが考えられるが、このようにすると、扉体が重量化してしまい、自閉機構を備えることで開放操作が重くなっている扉体の開放操作がさらに重くなることになって、速やかな避難が損なわれることが想定されて問題があり、開口部における断熱性能を確保しながら速やかな避難を可能とする扉装置を提供することに本発明の解決すべき課題がある。
【課題を解決するための手段】
【０００５】
本発明は、上記の如き実情に鑑みこれらの課題を解決することを目的として創作されたものであって、請求項１の発明は、空間を仕切る壁体に形成した開口部を開閉する開閉用扉体の表裏方向一方に、開口部を閉鎖する開閉用扉体に積層して開閉用扉体を覆蓋する全閉姿勢と、開口部を閉鎖する開閉用扉体を外部に露出させる全開姿勢とのあいだをスライド移動自在な可動式の断熱扉体を設け、前記断熱扉体に、全閉姿勢に向けて付勢する付勢手段と、付勢手段の付勢力に抗して全開姿勢に保持する全開保持手段と、開口部近傍の温度が予め設定されている高温に達することに伴い、全開保持手段による全開姿勢保持を解除して断熱扉体を強制的に閉鎖せしめる強制閉鎖手段とを設けたことを特徴とする可動式断熱扉体を備えた扉装置である。
請求項２の発明において、強制閉鎖手段は、温度ヒューズを用いて構成されていることを特徴とする請求項１に記載の可動式断熱扉体を備えた扉装置である。
請求項３の発明において、開閉用扉体と断熱扉体とは、トンネル内の本通路空間と避難通路空間とのあいだを仕切る壁体の開口部に設けられていることを特徴とする請求項１または２に記載の可動式断熱扉体を備えた扉装置である。
請求項４の発明において、開閉用扉体は、扉体の反りを防止する反り防止手段が設けられていることを特徴とする請求項１乃至３の何れか１項に記載の可動式断熱扉体を備えた扉装置である。
請求項５の発明において、断熱扉体は、開閉用扉体の戸袋として機能するように構成されていることを特徴とする請求項１乃至４の何れか１項に記載の可動式断熱扉体を備えた扉装置である。
【発明の効果】
【０００６】
請求項１の発明とすることにより、軽快な開放操作が可能になって迅速な避難ができるものでありながら、断熱扉体が開口部を閉鎖する状態では高い断熱性能を発揮することが可能となる。
請求項２の発明とすることにより、停電時であっても確実に断熱扉体を全閉姿勢にすることができるうえ、構成の簡略化、低コスト化を図れる。
請求項３の発明とすることにより、トンネル内からの避難を迅速に行なえるばかりでなく、狭い空間である避難通路側の温度上昇を低減することができる。
請求項４の発明とすることにより、断熱扉体を開閉用扉体に近接配設して断熱扉体が邪魔にならないようにできるものでありながら、断熱扉体の閉鎖作動を確実に実施できて信頼性の高い扉装置を提供できる。
請求項５の発明とすることにより、開閉用扉体用の部材の保護を図ることができる。
【図面の簡単な説明】
【０００７】
【図１】扉装置の避難通路側からの正面図である。
【図２】断熱扉体が全閉姿勢となった状態における扉装置の避難通路側からの正面図である。
【図３】図１のＸ−Ｘ断面図である。
【図４】図２のＸ−Ｘ断面図である。
【図５】扉装置の下端部を説明する側面図である。
【図６】図６（Ａ）は図１のＹ−Ｙ断面図、図６（Ｂ）は図１のＺ−Ｚ断面図である。
【図７】図７（Ａ）、（Ｂ）はそれぞれ規制部材の正面図、側面図、図７（Ｃ）、（Ｄ）はそれぞれワイヤ制御装置の平面図、正面図である。
【発明を実施するための形態】
【０００８】
以下、本発明の実施の形態について、図面に基づいて説明する。
図面において、１は全長の長いトンネル内の本通路であって、該本通路１を構成する空間の側部には、避難通路２を構成する空間が形成されており、これら本通路１空間と避難通路２空間とはトンネルの全長に沿って壁体３により仕切られている。前記壁体３には本通路１空間と避難通路２空間とを連通する複数の開口部３ａが開設されており、これら開口部３ａの避難通路２側に、本発明が実施された本通路１と避難通路２とのあいだを出入りする扉装置４がそれぞれ設けられている。
【０００９】
前記扉装置４は、壁体３の避難通路側面３ｂに沿って配設され、開口部３ａを開閉する開閉用扉体５を備えて構成されている。前記開閉用扉体５は表裏面板のあいだにコア材として断熱材が内装されるとともに骨材が配設されているが、汎用の避難扉のように耐火性能、断熱性能の優れた耐火ボードが内装されることはなく、できる限り軽量化されたものに構成されている。
前記開閉用扉体５は、上端部の左右に位置してローラ５ａを備えたローラブラケット５ｂがそれぞれ設けられ、下端部の左右に位置して戸車５ｃがそれぞれ設けられている。一方、開口部３ａ上方を構成する壁体３の避難通路２側となる避難通路側面３ｂには、開口部３ａから戸尻側に至るように左右方向長尺状の上部枠体６が一体的に固定されており、該上部枠体６に、開口部３ａから戸尻側に延出する上側案内レール６ａが避難通路２側に向けて突出配設されている。また、開口部３ａ下方の床部Ｆには、開口部３ａから戸尻側に至るように左右方向長尺状の下部枠体７が設けられており、該下部枠体７に、開口部３ａから戸尻側に延出する下側案内レール７ａが上方に向けて配設されている。
【００１０】
そして、開閉用扉体５は、左右一対のローラ５ａを上側案内レール６ａに移動自在に吊持状に支持させるとともに、戸車５ｃを下側案内レール７ａに移動自在に外嵌支持させることにより、上、下側案内レール６ａ、７ａに案内される状態で避難通路側面３ｂに沿ってスライド移動自在となり、開口部３ａを閉鎖する全閉姿勢と開口部３ａを開放する開放姿勢とのあいだを変姿するように構成されている。
ここで、開閉用扉体５の全閉姿勢において、開閉用扉体５の戸先側端部５ｄは、開口部３ａの戸先側の壁体３の避難通路側面３ｂに突設された戸先側片３ｃに形成された凹溝部３ｄに没入状に当接して、閉鎖方向への移動規制を受けるように構成されている。また、開閉用扉体５の全開姿勢において、開閉用扉体５の下端部の戸先側に設けたストッパ片５ｆは、下部枠体７に設けられたストッパ受け片７ｂに当接して、開放方向への移動規制を受けるように構成されている。
さらに、本実施の形態の開閉用扉体５には、開閉用扉体５の全閉姿勢において、開閉用扉体５戸尻側から本通路１側に向けて突出形成された上下方向長尺状の係止片５ｅが、開口部３ａの戸尻側に位置する避難通路側面３ｂに突設される第一戸尻側片３ｅに設けた上下方向長尺状の係止受け片３ｆに係止する煙抜け防止手段が設けられており、本通路１側からの煙が避難通路２側に侵入するのを防止するように構成されている。
そして、全閉姿勢の開閉用扉体５は、戸先側部位については上下方向全域において戸先側端部５ｄが戸先側片３ｃの凹溝部３ｄに没入する状態となっていること、戸尻側部位の本通路１側については上下方向全域において煙抜け防止手段が設けられていること、戸尻側部位の避難通路２側の下端部については下部枠体７に設けられたストッパ受け片７ｂが近接して設けられていることにより、開閉用扉体５の戸先側、戸尻側の両部位において表裏方向への変形が規制されるように構成されている。これによって、開閉用扉体５は高温時に湾曲状に反り返る熱反りが防止されて、下側案内レール７ａから外れるような不具合がないうえ、高温になっても開閉用扉体５と開口部３ａとのあいだに隙間が形成されることがなく、本通路１側の火煙や有毒ガスが避難通路２側に侵入するのを確実に防止するように構成されており、該構成が本発明の反り防止手段に相当している。
【００１１】
さらに、前記上部枠体６の戸先側部位には、開閉用扉体５を自閉制御するための機構を備えた閉鎖制御ユニット８が設けられている。前記閉鎖制御ユニット８を構成するケーシング８ａには、避難通路２側に向けて巻取りプーリ８ｂが突出配設されており、該巻取りプーリ８ｂに作動ワイヤ８ｃの一端部が巻装されている。前記作動ワイヤ８ｃの他端部は、巻取りプーリ８ｂから戸先側に向けて巻出されており、該巻出された作動ワイヤ８ｃは、上部枠体６の戸先側に位置し避難通路２側に向けて突設された第一プーリ６ｂを経由し、開閉用扉体５上方の左右一対のローラブラケット５ｂの避難通路２側を通って戸尻側に引出され、他端部が上部枠体６の戸尻側端部に位置し避難通路２側に向けて突設された巻装装置９に巻装されるように構成されている。
そして、巻取りプーリ８ｂには、ケーシング８ａに内装される図示しない付勢弾機が介装されており、該付勢弾機は、作動ワイヤ８ｃが巻出されることに伴い作動ワイヤ８ｃを巻取る方向の付勢力を蓄勢するように構成されている。一方、巻装装置９には作動ワイヤ８ｃの他端部を巻取る方向に付勢された巻取りバネ（図示せず）が内装されており、これによって、作動ワイヤ８ｃは、巻取りプーリ８ｂと巻装装置９とのあいだにおいて緊張状態となって、上部枠体６の戸先側部位から戸尻側部位のあいだに延出するように構成されている。このとき、ケーシング８ａに内装される付勢弾機の巻取り方向の付勢力は、巻装装置９に内装される巻取りバネの巻取り方向の付勢力を常時上回るように設定されている。これによって、作動ワイヤ８ｃは巻取りプーリ８ｂに巻取られる状態で緊張状態となっており、該状態において、作動ワイヤ８ｃを付勢弾機の付勢力に抗して巻取りプーリ８ｂから強制的に巻出す巻出し力が作用した場合では、該巻出し力が消失することに伴い作動ワイヤ８ｃが巻取りプーリ８ｂに強制的に巻取られるように構成されている。
また、巻取りプーリ８ｂには、ケーシング８ａに内装される図示しない閉扉遅延手段が連動連結されており、作動ワイヤ８ｃが付勢弾機の付勢力に抗する巻出し力により所定の巻出し量で巻出された場合に、閉扉遅延手段が起動されるように構成されている。そして、閉扉遅延手段が起動された場合では、予め設定されるタイマ時間のあいだ巻取りプーリ８ｂの巻取り方向への回転（作動ワイヤ８ｃの巻取り力）が規制（禁止）され、これによって、作動ワイヤ８ｃが巻出された位置に保持され、その後、巻取りプーリ８ｂによる作動ワイヤ８ｃの強制的な巻取りを開始するように構成されている。
【００１２】
このように構成された閉鎖制御ユニット８において、作動ワイヤ８ｃには開閉用扉体５に連繋するための作動体８ｄが設けられており、該作動体８ｄが、全閉姿勢の開閉用扉体５に設けられる戸先側のローラブラケット５ｂに設けられた係合アーム５ｇに対して戸尻側（閉鎖方向）から係止するように構成されている。そして、火災等の非常時に、トンネル内から避難するべく開閉用扉体５が開放操作された場合では、作動体８ｄがローラブラケット５ｂにより押しやられて巻装装置９側に移動することにより、作動ワイヤ８ｃが巻取りプーリ８ｂから巻出されるように構成されている。そして、開放操作がなくなると（巻出し力の消失）、前記閉扉遅延手段により予め設定されるタイマ時間のあいだ作動ワイヤ８ｃの巻取りが規制されて開閉用扉体５を開放状態に保持し、その後、付勢弾機の付勢力に基づいて作動ワイヤ８ｃが巻取りプーリ８ｂに巻取られることにより、該作動ワイヤ８ｃに設けられた作動体８ｄが第一プーリ６ｂ側（閉鎖方向）に移動して、戸先側のローラブラケット５ｂを閉鎖側に押しやる状態で開閉用扉体５を全閉姿勢に閉鎖するように構成されている。
尚、８ｅは閉鎖制御ユニット８の避難通路２側を覆うユニットカバーである。
【００１３】
１０は、開閉用扉体５の避難通路２側に近接する状態で設けられる可動式の断熱扉体であって、該断熱扉体１０は、全閉姿勢の開閉用扉体５を避難通路２側から覆蓋して開口部３ａを断熱する閉鎖姿勢と、開閉用扉体５の戸尻側に並列し、全閉姿勢の開閉用扉体５を避難通路２側に露出させて開口部３ａの出入りを容易にする開放姿勢とのあいだをスライド移動するように構成されており、これによって、開口部３ａに配される扉装置４は、開閉用扉体５と断熱扉体１０との両者を備えたものに構成されている。
前記断熱扉体１０は優れた耐火性能、断熱性能を備えた耐火断熱ボードを用いて形成されており、後述するように通常時は全開姿勢となって壁体３に沿って配設されていることから、風圧に対応するべく骨材が内蔵されることはなく、高温になっても高い耐火性能、断熱性能を保持できるように構成されている。また、断熱扉体１０は、床面Ｆから上部枠体６に至る部位を覆う上下高さと、開閉用扉体５全域を覆う左右幅とを備えた本体部１０ａと、該本体部１０ａ上端縁から本通路１側に向けて延出し、上部枠体６の上方に近接対向して配される上側片１０ｂと、本体部１０ａの戸尻側端縁から本通路１側に向けて延出し、開閉用扉体５の戸尻側に対向して配される戸尻側片１０ｃとを備えて構成されている。そして、断熱扉体１０の全開姿勢では、開口部３ａの戸尻側部位を構成する壁体３とともに開閉用扉体５の戸袋となり、開閉用扉体５用の上、下側案内レール６ａ、７ａの戸尻側部位を覆蓋して各部材の保護を図れるように構成されている。
尚、断熱扉体１０の上側片１０ｂは、本体部１０ａの戸先側半部が切欠かれて戸尻側部位にのみ形成されており、全閉姿勢に変姿するときに閉鎖制御ユニット８に干渉することがないように構成されている。また、断熱扉体１０の戸尻側片１０ｃは、上部枠体６に対向する部位が切欠かれており、全閉姿勢に変姿するときに巻装装置９、開閉用扉体５のローラ５ａ、ローラブラケット５ｂに干渉することがないように構成されている。
【００１４】
前記断熱扉体１０の本体部１０ａは、上端部（上部枠体６に対向する部位）に開閉用扉体５側の板厚を切欠くことにより薄板部１０ｄが形成されており、該薄板部１０ｄの開閉用扉体５側面には、左右両端部に位置してガイドローラ１１がそれぞれ転動自在に設けられている。これらガイドローラ１１は、薄板部１０ｄの開閉用扉体５側面と所定間隙を存して支持された上下方向を向く支軸１１ａに軸承されていて、水平方向において回転するように構成されている。また、本体部１０の下端部には、左右両端部に位置して上下方向において回転する戸車１２がそれぞれ設けられている。
尚、３ｇは断熱扉体１０の全閉姿勢において、断熱扉体１０の戸尻側片１０ｃに対向して設けられ、断熱扉体１０の開放方向への移動規制をする第二戸尻側片である。
【００１５】
ところで、前記上部枠体６は壁体３の避難通路側面３ｂに固定される部材であって、避難通路側面３ｂに固定され避難通路２側に突出する上、下側フレーム６ｃ、６ｄを備えて構成されており、これら上、下側フレーム６ｃ、６ｄの対向間に、前記上側案内レール６ａが設けられるレール用フレーム６ｅが設けられているが、前記レール用フレーム６ｅは、避難通路側面３ｂとのあいだに空隙部Ｓを存して形成されている。また、上側フレーム６ｃの避難通路２側の端縁には下方に向けて折曲する折曲片６ｆが形成されており、該折曲片６ｆに、上側案内レール６ａに吊持されたローラ５ａ及びローラブラケット５ｂ、さらには、開閉用扉体５の上端部を覆うための枠カバー６ｇが開閉自在に設けられている。
そして、前記上側フレーム６ｃの折曲片６ｆの避難通路２側の面に、断熱扉体１０のガイドローラ１１を移動案内するローラガイド６ｈが避難通路２側に向けて突出形成されている。
また、前記下部枠体７は、下側案内レール７ａの避難通路２側に、断熱扉体１０の戸車１２が走行するための走行レール７ｃが設けられている。
これによって、断熱扉体１０は、戸車１２が下部枠体７の走行レール７ｃを走行し、ガイドローラ１１が上部枠体６のローラガイド６ｈに移動案内を受ける状態で左右方向にスライド移動自在となって、開口部３ａを開閉作動する可動式となるように構成されている。このとき、断熱扉体１０は、上下端部が上、下部枠体６、７に移動案内を受けることにより、本体部１０ａが開閉用扉体５にできる限り近接して配設されており、全開姿勢の断熱扉体１０が邪魔になるようなことがなく、しかも、開閉作動が円滑になされるように構成されている。そして、開閉用扉体５と断熱扉体１０との両者が全閉姿勢となって開口部３ａを閉鎖した状態では、開閉用扉体５と断熱扉体１０とが近接する所定の空間、即ち、断熱空間を存して並設された二重扉（二重サッシ）のように機能して、高い断熱性能を発揮できるように構成されている。
【００１６】
前記断熱扉体１０の戸先側端部には、ワイヤ１３ａを介してウエイト１３が連結されている。前記ウエイト１３は、ワイヤ１３ａがプーリ１３ｂを懸回することで開口部３ａの戸先側において下方に垂下する状態で設けられ、断熱扉体１０を全閉姿勢に向けて付勢するように構成されており、前記ウエイト１３が本発明の付勢手段に相当している。尚、付勢手段としてはウエイト１３に限定されることは勿論なく、弾機を用いる機構等、断熱扉体１０を全閉姿勢となるように付勢する構成であれば何れの構成であってもよい。
【００１７】
そして、開閉用扉体５に近接状に配された断熱扉体１０は、本発明の全開保持手段により平常時では開閉用扉体５の戸袋として機能する全開姿勢に保持されるように構成されている。
つまり、断熱扉体１０の上側片１０ｂには、上部枠体６の前記空隙部Ｓに対向する部位に位置して係止受け体１０ｅが一体的に設けられている。一方、上部枠体６の上側フレーム６ｃの空隙部Ｓに対向する部位には、全閉姿勢の断熱扉体１０の係止受け体１０ｅの戸先側端部に対向して貫通孔（図示せず）が開設されている。そして、貫通孔の下方に対向する壁体３の避難通路側面３ｂには、取付けブラケット３ｈが一体的に固定されており、前記取付けブラケット３ｈに、本発明の全開保持手段に相当する規制部材１４が支持されている。前記規制部材１４は、図７（Ａ）、（Ｂ）に示すように、取付けブラケット３ｈに固定される支持体１４ａと、該支持体１４ａに体し上下方向に進退するロック片１４ｂと、該ロック片１４ｂを上方に向けて付勢する付勢弾機（図示せず）とを備えて構成されている。
そして、ロック片１４ｂは、付勢弾機に付勢される自然状態において、上側フレーム６ｃの貫通孔を貫通して上方に突出（進出）する係止姿勢となるように構成されており、この状態において、ロック片１４ｂには、ウエイト１３により閉鎖方向に向けて付勢される断熱扉体１０の係止受け体１０ｅが当接するように構成されており、これによって、断熱扉体１０は全開姿勢に保持されるように構成されている。また、ロック片１４ｂは、付勢弾機の付勢力に抗して下方に退避する解除姿勢に変姿した場合では、断熱扉体１０との係止が解除されて断熱扉体１０の全開姿勢保持を解除するように構成されている。
【００１８】
前記規制部材１４のロック片１４ｂは下端部にリング状のワイヤ連結片１４ｃが形成されており、該ワイヤ連結部１４ｃに、ロック片１４ｂの進退制御をするべく本発明の強制閉鎖手段の構成部材となる作動ワイヤ１５の一端部が連結されている。
ここで、作動ワイヤ１５はアウターワイヤ１５ａとインナーワイヤ１５ｂとにより構成されており、作動ワイヤ１５の一端部はインナーワイヤ１５ｂがアウターワイヤ１５ａから露出してロック片１４ｂのワイヤ連結部１４ｃに連結されており、作動ワイヤ１５の他端部は戸先側に向けて延出されている。そして、前記規制部材１４との連結部において外部に露出するインナーワイヤ１５ｂは、下側フレーム片６ｄに固定される補助フレーム６ｉに固定されたプーリ１５ｃを懸回することにより、下側フレーム６ｄに沿って延出され、プーリ１５ｃの戸先側部位においてアウターワイヤ１５ａに内装されるように構成されており、アウターワイヤ１５ａの一端部は下側フレーム６ｄに固定されている。
【００１９】
前記作動ワイヤ１５の他端部は、下側フレーム６ｄの戸先側に設けられるワイヤ制御装置１６に連結されており、該ワイヤ制御装置１６は作動ワイヤ１５とともに本発明の強制閉鎖手段を構成している。
つまり、前記ワイヤ制御装置１６は下側フレーム６ｄに固定される固定プレート１６ａと、該固定プレート１６ａの戸尻側に開設された左右方向に長い長孔１６ｂに沿ってスライド移動自在に変位する可動体１６ｃとを備えて構成されている。さらに、ワイヤ制御装置１６は、固定プレート１６ａの戸先側端部と可動体１６ｃとのあいだには可動体１６ｃを戸先側に向けて付勢する付勢弾機１６ｄが設けられるとともに、固定プレート１６ａの戸尻側端部と可動体１６ｃとのあいだは、予め設定される高温（例えば１００度であって、人が近寄ることができないような温度）に達することで切断する温度ヒューズ１６ｅにより一体的に連結されており、温度ヒューズ１６ｅが切断しない通常温度の状態では、可動体１６ｃを付勢弾機１６ｄの付勢力に抗して長孔１６ｂの戸尻側に強制的に位置させるように構成されている。
そして、前記可動体１６ｃに、作動ワイヤ１５を構成するインナーワイヤ１５ｂの他端部を連結することにより、規制部材１４とワイヤ制御装置１６とが連動連結されており、アウターワイヤ１５ａの他端部は、固定プレート１６ａに固定されるように構成されている。前記作動ワイヤ１５のインナーワイヤ１５ｂの長さは、開口部３ａ近傍が通常温度で温度ヒューズ１６ｅが非切断状態であって、可動体１６ｃが長孔１６ｂの戸尻側に位置する状態において、付勢弾機の付勢力を受けて係止姿勢となっているロック片１４ｂ（規制部材１４）とのあいだに緊張状に張設される長さに設定されている。
【００２０】
このように構成された強制閉鎖手段において、火災等の異常がなく、開口部３ａ近傍が通常温度の状態では、前述したように、可動体１６ｃは長孔１６ｂの戸尻側に位置していて、規制部材１４のロック片１４ｂを係止姿勢に保持しており、この状態では、進出姿勢のロック片１４ｂに対して断熱扉体１０の係止受け片１０ｄが戸尻側から係止することにより、断熱扉体１０が全開姿勢に保持されるように構成されている。
これに対し、火災等が発生して開口部３ａの近傍温度が上昇し、前記設定される高温に達して温度ヒューズ１６ｅが切断された場合では、可動体１６ｃは付勢弾機１６ｄの付勢力に基づいて長孔１６ｂにガイドされる状態で戸先側に変位して、可動体１６ｃに連結されたインナーワイヤ１５ｂの他端部を戸先側に向けて引っ張り、これによって、インナーワイヤ１５ｂの一端部がプーリ１５ｃを介して下方に向けて引っ張られるように構成されている。このとき、付勢弾機１６ｄの付勢力は、ロック片１４ｂを係止姿勢に付勢する付勢弾機の付勢力と、ロック片１４ｂに作用する断熱扉体１０から作用する荷重との和よりも大きくなるように設定されている。これによって、インナーワイヤ１５ｂの一端部に連結された規制部材１４のロック片１４ｂが下方に向けて引っ張られて、係止姿勢から解除姿勢に強制変姿せしめられるように構成されている。この状態では、ロック片１４ｂと断熱扉体１０の係止受け片１０ｄとの係止が解除され、断熱扉体１０は、ウエイト１３による付勢力に基づいて閉鎖作動を開始して、全閉姿勢に変姿するように構成されている。
尚、強制閉鎖手段を構成するワイヤ制御手段は、上記構成に限定されないことは勿論であるが、温度ヒューズを用いる構成とすることにより、電気配線が不要になるうえ、停電時であっても高温になることにより断熱扉体１０を確実に全閉姿勢とすることができるという利点がある。また、温度ヒューズは切断温度を選択することが可能であり、設置環境や使用状態に応じて適宜選択して設けることができる。
【００２１】
前記構成の扉装置４は、全長の長いトンネル内の壁体３に、トンネル長方向複数箇所に設けられており、この場合に、任意の箇所において火災が発生し、該発生地点の近傍が高温になって人が近寄ることができないほどの高温雰囲気下となると、該部位の扉装置４については断熱扉体１０が自動的に閉鎖して、本通路１と避難通路２とを仕切る壁体３に形成される開口部３ａを、開閉用扉体５と断熱扉体１０との両者により閉鎖して、軽量化されて開閉用扉体５による耐火性能、断熱性能を期待できない状態であっても、断熱扉体１０による高い耐火性能、断熱性能が発揮されて、開口部３ａにおける耐火性能、断熱性能を確保できるように構成されている。そのうえ、開閉用扉体５と断熱扉体１０との両者が全閉姿勢となっている状態では、断熱空間を存して並設された二重扉のように機能することからも、優れた断熱性能を発揮できるように構成されている。
しかも、温度があまり高温でなく、人が避難可能な温度条件下の開口部３ａでは、軽量化された開閉用扉体５のみが開口部３ａを閉鎖しており、避難者は前記軽量化された開閉用扉体５を開放することにより避難通路２側に避難することができて、速やかな避難ができるように構成されている。これによって、避難通路２への円滑な避難を損なうことがなく、しかも、開口部３ａを介して本通路１側の熱が狭い空間である避難通路２側に及ぼす影響を確実に低減することができるように構成されている。
【００２２】
尚、開閉用扉体５の全閉姿勢において、前述したように、戸先側部位については上下方向全域において戸先側端部５ｄが戸先側片３ｃの凹溝部３ｄに没入する状態となっていること、戸尻側部位の本通路１側については上下方向全域において煙抜け防止手段が設けられていること、戸尻側部位の避難通路２側の下端部についてはストッパ受け片７ｂが設けられていることにより、開閉用扉体５の戸先側、戸尻側の両部位において表裏方向への変形が規制される反り防止手段が設けられていて、高温時に開閉用扉体５が熱反りするのが防止されているので、高温時に開口部３ａに隙間が形成されるような不具合がないが、さらにこのものでは、熱反り防止がなされることにより、高温時に断熱扉体１０が全閉姿勢に閉鎖作動する場合に、近接状に配される開閉用扉体５の熱反りで断熱扉体１０の閉鎖を損なうようなことがなく、これによって、断熱扉体１０の全閉姿勢への変姿が円滑、かつ、速やかになされるように構成されている。
また、断熱扉体１０と開閉用扉体５とのあいだには、図示されてはいないが、開閉用扉体５の開放操作に連動して断熱扉体１０を開放する連動手段が設けられており、例えば、高温雰囲気にならないにもかかわらず断熱扉体１０が閉鎖したような不測の事態が生じた場合であっても、開口部３ａを開放することができるように構成されている。
【００２３】
叙述の如く構成された本形態において、全長の長いトンネルのように、本通路１と該本通路１の側部に設けられる避難通路２とのあいだを仕切る壁体３に設けられる扉装置４は、開閉用扉体５の避難通路２側に、開閉用扉体５に積層して開閉用扉体５を覆蓋する全閉姿勢と、開閉用扉体５を外部に露出させる全開姿勢とのあいだをスライド移動する可動式の断熱扉体１０が設けられている。そして、断熱扉体１０はウエイト１３により全閉姿勢に付勢されるとともに、ウエイト１３の付勢力に抗して全開姿勢に保持する規制部材１４と、開口部３ａの近傍の温度が予め設定されている高温（例えば１００度）に達することに伴い、規制部材１４による断熱扉体１０の全開姿勢の保持を解除する作動ワイヤ１５とワイヤ制御装置１６とが設けられている。この結果、トンネル内に設けられる複数の扉装置４のうち、高温に達した箇所に設けられた扉装置４については開閉用扉体５と高い耐火性能、断熱性能を備えた断熱扉体１０との両者が開口部３ａを閉鎖することになって、本通路１側で発生した熱が避難通路２側に影響するのを低減することができる。この場合に、断熱扉体１０と開閉用扉体５とは近接状に並設してこれらの間に断熱空間が形成されるので、あたかも二重扉のように開口部３ａを閉鎖して、一層高い断熱効果を発揮することができる。
そのうえ、人が近寄ることができない高温となる箇所の扉装置４を、高い耐火性能、断熱性能を備えた断熱扉体１０とにより開口部３ａを塞ぐ構成としたので、高温に至らず避難時に人が操作することになる開閉用扉体５側の耐火性能、断熱性能についてはその性能を低減させて軽量化することが可能となって開閉用扉体５の軽量化が実現して、開閉用扉体５の開放操作を円滑、かつ、迅速に行なうことができて、速やかな避難を実現することができる。
そのうえ、避難通路２側においては断熱扉体１０が閉鎖していることから、その断熱扉体１０配設部近傍部位が高温になっている、または、高温であったことが判断できて、避難方向の選択や、火災現場の特定の判断材料とすることができるという利点もある。
【００２４】
このように、本発明が実施されたものにあっては、開口部３ａに開閉用扉体５と、高い耐火性能、断熱性能を備え、高温になることに伴い開閉用扉体５に積層して開口部３ａを閉鎖する断熱扉体１０とを備えた扉装置４を設けることにより、本通路１側が高温状態になった場合に避難通路２側に波及する熱の影響を低減するようにしたものであるが、このものでは、高温になった場合に断熱扉体１０を強制的に閉鎖するための強制閉鎖手段の構成部材に温度ヒューズ１６ｅを用いる構成としたので、停電時であっても確実に断熱扉体１０を全閉姿勢にすることができる。そのうえ、電子部品による温度センサを用いて断熱扉体１０を強制閉鎖させるための機構を設けるような複雑、かつ、高価な構成とする必要がなく、構成の簡略化、低コスト化に寄与できる。
【００２５】
さらに、扉装置４は、全長の長いトンネル内に複数設けられる構成であり、高温となって人が近寄れず、避難通路２にアクセスできない箇所の扉装置４は断熱扉体１０が閉鎖されて防火、断熱効果を高め、温度が低い避難通路２にアクセスできる箇所の扉装置４は、軽量化された開閉用扉体５により開口部３ａを閉鎖する状態となるので、避難する際の開閉用扉体５の開放操作が軽快で、速やかな避難を損なうことがなく、しかも、避難通路２側の温度上昇を低減することができる。
【００２６】
また、このものにおいて、扉装置４には、開閉用扉体５の全閉姿勢において、戸先側部位については上下方向全域において戸先側端部５ｄが戸先側片３ｃの凹溝部３ｄに没入する状態となっていること、戸尻側部位の本通路１側については上下方向全域において煙抜け防止手段が設けられていること、戸尻側部位の避難通路２側の下端部についてはストッパ受け片７ｂが設けられていることにより、開閉用扉体５の戸先側、戸尻側の両部位において表裏方向への変形が規制される反り防止手段が設けられているので、高温時に開閉用扉体５が湾曲状に熱反りすることが防止されて、開口部３ａに隙間が形成されることがないばかりでなく、開閉用扉体５に近接状に配設された断熱扉体１０が熱反りした開閉用扉体５により閉鎖作動し難くなるような不具合を確実に防止できて、信頼性の高い可動式の断熱扉体１０を備えた扉装置４を提供できる。
【００２７】
さらに、断熱扉体１０は全開姿勢において、壁体３に近接状に配されているので、風圧に対応する構成とする必要がなく骨材を不要にできて断熱性能の向上を図れるうえ、壁体３とともに開閉用扉体５の戸袋として機能するので、開閉用扉体５用の上、下側案内レール６ａ、７ａの戸尻側部位を保護することができるという利点もある。
【産業上の利用可能性】
【００２８】
本発明は、広い空間を壁体等により仕切り複数の区画を構成する際に、区画同士を行き来するための出入り口部に設けられる扉装置に利用することができる。
【符号の説明】
【００２９】
１  本通路
２  避難通路
３  壁体
３ａ  開口部
４  扉装置
５  開閉用扉体
６  上部枠体
６ａ  上側案内レール
６ｃ  上側フレーム
６ｈ  ローラガイド
７  下部枠体
７ａ  下側案内レール
７ｃ  走行レール
８  閉鎖制御ユニット
１０  断熱扉体
１１  ガイドローラ
１２  戸車
１３  ウエイト
１４  規制部材
１４ｂ  ロック片
１５  作動ワイヤ
１６  ワイヤ制御装置
１６ｃ  可動体
１６ｄ  付勢弾機
１６ｅ  温度ヒューズ
【図１】
2012007323.tif 000003
【図２】
2012007323.tif 000004
【図３】
2012007323.tif 000005
【図４】
2012007323.tif 000006
【図５】
2012007323.tif 000007
【図６】
2012007323.tif 000008
【図７】
2012007323.tif 000009